(57)【特許請求の範囲】
【請求項１】
少なくとも腹部から臀部を覆う股部を有し、前記腹部の位置の上部端には帯状弾性体が存在しない本体布からなる衣類であって、該衣類は、
臀部の位置の本体布の上部端から、両側の腸骨稜の位置の本体布の上部端まで設けられる第１帯状弾性体と、
前記両側の腸骨稜の位置の本体布の上部端から、両側の上前腸骨棘の位置の内側を通って恥骨の位置の両側付近の位置まで、逆ハの字に設けられ、腹部中央に向かって内側に湾曲している第２帯状弾性体と、
を有することを特徴とする衣類。
【請求項２】
請求項１に記載の衣類において、前記第１帯状弾性体及び前記第２帯状弾性体は、一体的に形成されることを特徴とする衣類。
【請求項３】
請求項１又は請求項２に記載の衣類において、前記腹部の位置の本体布の上部端は、前記臀部の位置の本体布の上部端よりも高い位置にあることを特徴とする衣類。
【発明の詳細な説明】
【技術分野】
【０００１】
本発明は、股部を有する衣類、より具体的にはパンツやズボン等の衣類に関し、特に、腹部を圧迫しないようにした衣類に関する。
【背景技術】
【０００２】
通常のパンツやズボン等の衣類は、衣類が腰からずり落ちないようにするために、ウエスト部分を一周するゴム等の帯状弾性体が設けられたものや、ベルトで締めるもの、サスペンダ等で吊るすもの等であった。ベルトやサスペンダ等を用いるものでは、睡眠時には邪魔になったり圧迫が強くなったりするため、睡眠時に用いるようなものではなかった。ウエスト部分を一周する帯状弾性体では、腹部が圧迫されることによる不快感があった。特に中年や太った者で腹部が突き出ているような場合には、より不快感が強くなり、睡眠時に寝苦しさを訴える場合等もあった。また、腹部が締め付けられるとウエストの血行を阻害し、健康を害する場合もあった。【０００３】
このような腹部の圧迫を防止するための衣類としては、特許文献１や、特許文献２等がある。特許文献１は、ウエストのゴムの接ぎ合わせ部分を腹部側に設け、この部分を切ることにより開放することで腹部の圧迫を防止したものである。特許文献２は、パンツの周方向の一部に縦方向のスリットを設けて重なり部を形成し、任意の重なり代で固定できるようにボタン等を設けることでウエスト部分を調整可能とし、腹部の圧迫を防止したものである。【０００４】
【特許文献１】登録実用新案第３０９９０８０号公報
【特許文献２】実開平５−２２５０２号公報
【発明の開示】
【発明が解決しようとする課題】
【０００５】
しかしながら、特許文献１の例のように、単に腹部の接ぎ合わせ部分のゴムを切って開放しただけでは、衣類の安定性が悪くなってしまう場合がある。パンティストッキングのように、全体が伸縮性のある生地で身体にフィットして全体で保持されるものであればまだ良いが、男性用トランクス等、ウエスト部分のみで保持されるような衣類に特許文献１の技術を適用した場合には、ウエスト部分での保持力が弱く、ずり落ちてしまうことになる。さらに、パンティストッキングに適用した場合でも、切れ目を入れた部分が外側に丸まってしまい、安定しなくなることもあった。【０００６】
また、特許文献２の例の場合、通常時に下着として支障なく使用するときはウエストを締め、睡眠時には締め付けないようにウエストを緩めるというように、使用者がその時々に合わせて一々衣類のウエスト部分を調整する必要があったため、使い勝手が悪かった。また、締め付けないように緩めた状態では、通常の使用形態ではないのでずり落ちてしまい、夜中にトイレに行くとき等、調整しなければ手で押さえて歩かなければならなかった。【０００７】
したがって、安定性が良く使い勝手の良い、腹部の圧迫を防止した股部を有する衣料の開発が望まれていた。【０００８】
本発明は、斯かる実情に鑑み、上記従来技術の問題点を解決し、安定性が良く保持力もしっかり有りずり落ちることが無く、使用状態に応じて調整する必要も無い、腹部の圧迫を防止した股部を有する衣類を提供しようとするものである。
【課題を解決するための手段】
【０００９】
上述した本発明の目的を達成するために、少なくとも腹部から臀部を覆う股部を有する本体布からなる本発明による衣類は、臀部の位置の本体布の上部端から、両側の腸骨稜の位置の本体布の上部端まで設けられる第１帯状弾性体と、両側の腸骨稜の位置の本体布の上部端から、両側の上前腸骨棘の位置の内側を通って恥骨の位置の両側付近の位置まで、逆ハの字に設けられる第２帯状弾性体と、を有するものである。【００１０】
ここで、腹部の位置の本体布の上部端には、帯状弾性体は存在しないものである。【００１１】
また、第２帯状弾性体は、腹部中央に向かって内側に湾曲しているものである。【００１２】
また、第１帯状弾性体及び第２帯状弾性体は、一体的に形成されても良い。【００１３】
さらに、腹部の位置の本体布の上部端は、臀部の位置の本体布の上部端よりも高い位置にあっても良い。
【発明の効果】
【００１４】
本発明の股部を有する衣類には、身体にしっかりと保持されるにもかかわらず腹部を圧迫しないという利点がある。したがって、通常の衣類と同じように、日常的に使用可能である。腹部が圧迫されないため、睡眠時やリラックスする時等には特に快適である。
【発明を実施するための最良の形態】
【００１５】
以下、本発明を実施するための最良の形態を図示例と共に説明する。図１は本発明の衣類の正面図、図２は本発明の衣類の背面図、図３は本発明の衣類の側面図を表わす。なお、図１−図３では、主に男性用トランクスを意図したものを表わしたが、本発明はこれに限定されず、男性用・女性用に限らず、下着以外にもズボン等、股部を有するあらゆる衣類に適用可能である。【００１６】
図１−図３に示すとおり、本発明の衣類は、腹部から臀部を覆う、腹部本体布１と臀部本体布２とから主に作成される、股部３を有する衣類である。そして、臀部本体布２の上部端に第１帯状弾性体４が設けられている。第１帯状弾性体は、例えば上部端の布地をギャザー状にして帯状ゴムを縫い付けたものであっても、上部端の布地をギャザー状にして複数本のゴム糸を縫い込んだものであっても良く、第１帯状弾性体４が設けられる部分が伸縮自在に形成されるものであれば如何なるものであっても構わない。第１帯状弾性体は、背面から両側の腸骨稜の位置５の本体布の上部端のところまで設けられている。【００１７】
通常の衣類であれば、臀部上部端から腹部上部端にかけて帯状弾性体がウエスト部分を一周するが、本発明の衣類の場合は、次に説明するように、腹部側の帯状弾性体の位置が従来のものとは異なる。本発明の衣類の上部端には、図１に示すように帯状弾性体は設けられていない。本発明の場合、第１帯状弾性体が設けられる両側の腸骨稜の位置５の本体布の上部端から、逆ハの字になるように足の付け根の両側まで第２帯状弾性体６が設けられる。即ち、両側の腸骨稜の位置５の本体布の上部端から、両側の上前腸骨棘の位置７の内側を通って恥骨の位置８の両側付近の位置まで配置される。図１に示すとおり、腹部の位置の本体布１の上部端には帯状弾性体は存在せず、第２帯状弾性体６は、腸骨稜の位置５の本体布の上部端から、腹部中央に向かって内側に湾曲し、先端部に所定の間隙を設けるように配置されている。なお、第２帯状弾性体６は、第１帯状弾性体４と同様に、帯状弾性体が設けられる部分が伸縮自在に形成されるものであれば、布地をギャザー状にしてゴムを縫い込むもの等、如何なるものであっても構わない。【００１８】
このように構成されることで、本発明の衣類では、腹部の本体布は単に腹部に被さる状態になり、腹部がゴムで締め付けられることはなくなる。しかも、内側に湾曲した第２帯状弾性体６が腸骨稜５に引っかかるように構成されているため、衣類がずり落ちることもない。【００１９】
なお、腹部の位置の本体布を、ある程度伸縮性のある布地で構成し、身体への密着感をより高めることも勿論可能である。また、腹部の位置の本体布の上部端を長く（高く）し、臀部の位置の本体布の上部端よりも高い位置にくるように構成しても良い。こうすることで、腹部の安定感がさらに増し、また、腹部を露出しないようにして腹部の冷え等を防止する等の効果も生まれる。【００２０】
また、上述の例では第１帯状弾性体４と第２帯状弾性体６は分けて形成されるように説明したが、本発明はこれに限定されず、一体的に形成されても良い。本発明の衣類は、臀部の上端部から腸骨稜の上を通って恥骨の両側付近までの部分が伸縮自在に構成されているものであれば、第１帯状弾性体や第２帯状弾性体をいかなる構成によって実現しても良い。【００２１】
さらに、図１−図３では、男性用トランクスについての構成を示したが、本発明の衣類は、図４に示すように、下着以外にもジャージや寝巻き、ズボンやスラックス等、股部を有する衣類であって、腹部を覆うものであれば、いかなるものに適用しても良い。【００２２】
また、図１では第２帯状弾性体６は、先端部に所定の間隙を設けるように配置される例を示したが、本発明はこれに限定されず、図５に示すように、腸骨稜の位置５から上前腸骨棘の位置７の内側を通って恥骨の位置８の両側を通り、股部３を通って臀部本体布の位置まで延びているようなものであっても良い。即ち、本発明の衣類における第２帯状弾性体は、両側の腸骨稜の位置の本体布の上部端から、両側の上前腸骨棘の位置の内側を通って恥骨の位置の両側付近の位置まで、逆ハの字に設けられるものであれば、その先が間隙を有するものであっても繋がっているものであっても良く、先端部分は如何に配置されていても良い。【００２３】
なお、本発明の股部を有する衣類は、上述の図示例にのみ限定されるものではなく、本発明の要旨を逸脱しない範囲内において種々変更を加え得ることは勿論である。
【図面の簡単な説明】
【００２４】
【図１】図１は、本発明の股部を有する衣類の正面図である。
【図２】図２は、本発明の股部を有する衣類の背面図である。
【図３】図３は、本発明の股部を有する衣類の側面図である。
【図４】図４は、本発明の股部を有する衣類の他の例に適用した場合の斜視図である。
【図５】図５は、本発明の股部を有する衣類の第２帯状弾性体の他の例を説明するための正面図である。
【符号の説明】
【００２５】
１    腹部本体布
２    臀部本体布
３    股部
４    第１帯状弾性体
５    腸骨稜の位置
６    第２帯状弾性体
７    上前腸骨棘の位置
８    恥骨の位置
【図１】
0004729495.tif 000002
【図２】
0004729495.tif 000003
【図３】
0004729495.tif 000004
【図４】
0004729495.tif 000005
【図５】
0004729495.tif 000006